(57)【要約】【課題】監視が必要な階と不要な階が同一ビルに混在する場合に、特定の監視対象階の利用者のみをエレベーター内で監視できるようにする。【解決手段】エレベーター籠内に設置された撮像手段と、前記エレベーター籠の移動状態を取得する状態取得手段と、前記状態取得手段により取得された前記エレベーター籠の現在の階情報を取得する階情報取得手段と、前記撮像手段の撮像動作を制御する制御手段とを有し、前記制御手段は、前記状態取得手段で取得したエレベーター籠の移動状態と、前記階情報取得手段で取得した現在の階情報があらかじめ設定された監視対象階情報と一致した場合にのみ前記撮像手段による撮像を行うようにして、予め設定された監視対象階にエレベーターが停止した場合のみ監視を行うことができるようにする。【選択図】図２
2014156315.tif 000002
【特許請求の範囲】
【請求項１】
エレベーター籠内に設置された撮像手段と、
前記エレベーター籠の移動状態を取得する状態取得手段と、
前記状態取得手段により取得された前記エレベーター籠の現在の階情報を取得する階情報取得手段と、
前記撮像手段の撮像動作を制御する制御手段とを有し、
前記制御手段は、
前記状態取得手段で取得したエレベーター籠の移動状態と、前記階情報取得手段で取得した現在の階情報とがあらかじめ設定された監視対象階情報と一致した場合にのみ前記撮像手段による撮像を行うことを特徴とする撮像装置。
【請求項２】
エレベーター籠内に設置された撮像手段と、
前記エレベーター籠の移動状態を取得する状態取得手段と、
前記状態取得手段により取得された前記エレベーター籠の現在の階情報を取得する階情報取得手段と、
前記撮像手段から取得した画像にマスク処理を施すマスク処理手段と、
前記撮像手段の撮像動作を制御する制御手段とを有し、
前記制御手段は、
前記状態取得手段で取得したエレベーター籠の移動状態と、前記階情報取得手段で取得した現在の階情報とが、あらかじめ設定された監視対象階情報と一致しなかった場合は前記撮像手段で撮像した画像の全体または一部にマスク処理を施し、あらかじめ設定された監視対象階情報と一致した場合はマスク処理を施さないことを特徴とする撮像装置。
【請求項３】
前記撮像手段で撮像した画像を解析し、前記エレベーター籠の移動状態と現在の階情報を識別する画像解析手段をさらに有し、
前記状態取得手段は、前記画像解析手段の解析結果を取得してエレベーター籠の移動状態を取得し、
前記階情報取得手段は前記画像解析手段の解析結果を取得してエレベーター籠の現在の階情報を取得することを特徴とする請求項１または２に記載の撮像装置。
【請求項４】
エレベーター籠内に設置された撮像装置から配信される画像を記録する記録装置であって、
受信した画像データを一時保存する一時記憶手段と、
画像データを蓄積する画像蓄積手段と、
前記エレベーター籠の移動状態を取得する状態取得手段と、
前記状態取得手段により取得された前記エレベーター籠の現在の階情報を取得する階情報取得手段と、
前記画像蓄積手段の画像蓄積動作を制御する制御手段とを有し、
前記制御手段は、
前記状態取得手段で取得したエレベーター籠の移動状態と、前記階情報取得手段で取得した現在の階情報とが、あらかじめ設定された監視対象階情報と一致しない間は前記画像蓄積手段への画像蓄積は行なわず前記一時記憶手段に所定の期間一時保存し、
前記あらかじめ設定された監視対象階情報と一致した時は、前記一時記憶手段に一時保存された画像データを所定の期間さかのぼって前記画像蓄積手段に蓄積することを特徴とする記録装置。
【請求項５】
前記受信した画像を解析し、前記エレベーター籠の移動状態と現在の階情報を識別する画像解析手段をさらに有し、
前記状態取得手段は、前記画像解析手段の解析結果を取得してエレベーター籠の移動状態を取得し、
前記階情報取得手段は前記画像解析手段の解析結果を取得してエレベーター籠の現在の階情報を取得することを特徴とする請求項４に記載の記録装置。
【請求項６】
エレベーター籠内に設置された撮像装置で撮像する撮像工程と、
前記エレベーター籠の移動状態を取得する状態取得工程と、
前記状態取得工程において取得された前記エレベーター籠の現在の階情報を取得する階情報取得工程と、
前記撮像装置の撮像動作を制御する制御工程とを有し、
前記制御工程は、
前記状態取得工程で取得したエレベーター籠の移動状態と、前記階情報取得工程で取得した現在の階情報があらかじめ設定された監視対象階情報と一致した場合にのみ前記撮像装置による撮像を行うことを特徴とする撮像方法。
【請求項７】
エレベーター籠内に設置された撮像装置で撮像する撮像工程と、
前記エレベーター籠の移動状態を取得する状態取得工程と、
前記状態取得工程において取得された前記エレベーター籠の現在の階情報を取得する階情報取得工程と、
前記撮像工程において取得した画像にマスク処理を施すマスク処理工程と、
前記撮像装置の撮像動作を制御する制御工程とを有し、
前記制御工程は、
前記状態取得工程で取得したエレベーター籠の移動状態と、前記階情報取得工程で取得した現在の階情報が、あらかじめ設定された監視対象階情報と一致しなかった場合は前記撮像装置で撮像した画像の全体または一部にマスク処理を施し、あらかじめ設定された監視対象階情報と一致した場合はマスク処理を施さないことを特徴とする撮像方法。
【請求項８】
エレベーター籠内に設置された撮像装置から配信される画像を記録する記録装置の制御方法であって、
受信した画像データを記憶媒体に一時保存する一時記憶工程と、
画像データを記録媒体に蓄積する画像蓄積工程と、
前記エレベーター籠の移動状態を取得する状態取得工程と、
前記状態取得工程において取得された前記エレベーター籠の現在の階情報を取得する階情報取得工程と、
前記画像蓄積工程における画像蓄積動作を制御する制御工程とを有し、
前記制御工程は、
前記状態取得工程で取得したエレベーター籠の移動状態と、前記階情報取得工程で取得した現在の階情報が、あらかじめ設定された監視対象階情報と一致しない間は前記記録媒体への画像蓄積は行なわず前記記憶媒体に所定の期間一時保存し、
前記あらかじめ設定された監視対象階情報と一致した時は、前記記憶媒体に一時保存された画像データを所定の期間さかのぼって前記記録媒体に蓄積することを特徴とする記録装置の制御方法。
【請求項９】
エレベーター籠内に設置された撮像装置で撮像する撮像工程と、
前記エレベーター籠の移動状態を取得する状態取得工程と、
前記状態取得工程において取得された前記エレベーター籠の現在の階情報を取得する階情報取得工程と、
前記撮像装置の撮像動作を制御する制御工程とをコンピュータに実行させるプログラムであって、
前記制御工程は、
前記状態取得工程で取得したエレベーター籠の移動状態と、前記階情報取得工程で取得した現在の階情報があらかじめ設定された監視対象階情報と一致した場合にのみ前記撮像装置による撮像を行うようにコンピュータを制御するようコンピュータに実行させることを特徴とするプログラム。
【請求項１０】
エレベーター籠内に設置された撮像装置で撮像する撮像工程と、
前記エレベーター籠の移動状態を取得する状態取得工程と、
前記状態取得工程において取得された前記エレベーター籠の現在の階情報を取得する階情報取得工程と、
前記撮像工程において取得した画像にマスク処理を施すマスク処理工程と、
前記撮像装置の撮像動作を制御する制御工程とをコンピュータに実行させるプログラムであって、
前記制御工程は、
前記状態取得工程で取得したエレベーター籠の移動状態と、前記階情報取得工程で取得した現在の階情報が、あらかじめ設定された監視対象階情報と一致しなかった場合は前記撮像装置で撮像した画像の全体または一部にマスク処理を施し、あらかじめ設定された監視対象階情報と一致した場合はマスク処理を施さないようコンピュータに実行させることを特徴とするプログラム。
【請求項１１】
エレベーター籠内に設置された撮像装置から配信される画像を記録する記録装置の制御方法をコンピュータに実行させるプログラムであって、
受信した画像データを記憶媒体に一時保存する一時記憶工程と、
画像データを記録媒体に蓄積する画像蓄積工程と、
前記エレベーター籠の移動状態を取得する状態取得工程と、
前記状態取得工程において取得された前記エレベーター籠の現在の階情報を取得する階情報取得工程と、
前記画像蓄積工程における画像蓄積動作を制御する制御工程とをコンピュータに実行させ、
前記制御工程は、
前記状態取得工程で取得したエレベーター籠の移動状態と、前記階情報取得工程で取得した現在の階情報が、あらかじめ設定された監視対象階情報と一致しない間は前記記録媒体への画像蓄積は行なわず前記記憶媒体に所定の期間一時保存し、
前記あらかじめ設定された監視対象階情報と一致した時は、前記記憶媒体に一時保存された画像データを所定の期間さかのぼって前記記録媒体に蓄積するようコンピュータに実行させることを特徴とするプログラム。
【請求項１２】
請求項９〜１１の何れか１項に記載のプログラムを記憶したことを特徴とするコンピュータ読み取り可能な記憶媒体。
【発明の詳細な説明】
【技術分野】
【０００１】
本発明は撮像装置および記録装置の制御方法に関し、特に、ネットワークを介した監視システムなどで用いられるエレベーター内に設置された撮像装置に用いて好適な技術に関するものである。
【背景技術】
【０００２】
近年、集合住宅や商業施設、あるいはオフィスビルなどの多くで、防犯用途としてエレベーター内に監視カメラが設置される場合が増えている。監視カメラが設置されたエレベーターにおいては、籠内に設置された監視カメラによって、エレベーター利用者を撮影する。
【０００３】
監視カメラによって撮影して生成された監視映像データは、LAN（Local Area Network）を介して別の場所に設けられた監視管理センターに送信される。送信された監視映像データは、監視映像記録端末に蓄積される他、監視映像表示端末上に表示されることで監視者が監視を行う。
【０００４】
上述の監視システムは、エレベーター籠に乗る全ての利用者を監視対象としているため、監視カメラで撮影した映像を常に記憶媒体に記録している。一方、特許文献１では、エレベーター利用者自身が必要に応じて監視システムを作動させ、作動後一定期間のみ監視を実施するような監視システムが開示されている。
【先行技術文献】
【特許文献】
【０００５】
【特許文献１】特開昭６０−２１８２７５号公報
【発明の概要】
【発明が解決しようとする課題】
【０００６】
エレベーター籠内に監視カメラが設置されているビル、特に、各階ごとに異なる会社が使用しているような複合ビルにおいては、以下に説明するような課題がある。
例えば、１階と２階をＡ社が使用し、３階と４階をＢ社が使用し、５階をＣ社が使用しているような複合ビルにおいては、各階を使用している会社によって監視システムの提供が不要な場合もある。
【０００７】
また、各階を使用する会社の性質によっては、その会社に出入りする人物（顧客など）がエレベーターを利用する際の映像データが監視映像として記録されることを望まない場合もある。
【０００８】
例えば、Ａ社とＣ社が監視を望まない場合を例に説明する。
このような場合、各フロアに設置された監視カメラを監視対象外カメラに設定することは容易である。その一方で、エレベーター内はビルの共用部であるため、監視を必要とするフロア（例えば、３階と４階）が存在する場合は常に監視対象にしなければならない。しかし、この常時監視は、監視対象とされることを望まない会社には不利益となる。そのため、エレベーター内の監視システムの作動を限定的にする必要性が生じている。
【０００９】
しかしながら、特許文献１に開示されている監視システムの場合、エレベーター利用者自身が監視の有無を制御可能に構成されているため、監視が必要な場合でも監視システムを作動させない等、犯罪抑止効果が著しく低下してしまう問題点があった。
本発明は前述の問題点に鑑み、監視が必要な階と不要な階が同一ビルに混在する場合に、特定の監視対象階の利用者のみをエレベーター内で監視できるようにすることを目的とする。
【課題を解決するための手段】
【００１０】
本発明の撮像装置は、エレベーター籠内に設置された撮像手段と、前記エレベーター籠の移動状態を取得する状態取得手段と、前記状態取得手段により取得された前記エレベーター籠の現在の階情報を取得する階情報取得手段と、前記撮像手段の撮像動作を制御する制御手段とを有し、前記制御手段は、前記状態取得手段で取得したエレベーター籠の移動状態と、前記階情報取得手段で取得した現在の階情報があらかじめ設定された監視対象階情報と一致した場合にのみ前記撮像手段による撮像を行うことを特徴とする。
【発明の効果】
【００１１】
本発明によれば、監視が必要な階と不要な階が同一ビルに混在する場合においても、監視が必要な階のみをエレベーター内で監視することが可能となる。
【図面の簡単な説明】
【００１２】
【図１】第１の実施形態に係るネットワーク監視システムの構成例を示すブロック図である。
【図２】第１の実施形態の撮像装置の構成例を示すブロック図である。
【図３】第１の実施形態を示し、監視対象状態を判断する手順を説明するフローチャートである。
【図４】第１の実施形態を示し、画像解析部を有する撮像装置の構成例を示すブロック図である。
【図５】第２の実施形態の撮像装置の構成例を示すブロック図である。
【図６】第３の実施形態に係るネットワーク監視システムの構成例を示すブロック図である。
【図７】第３の実施形態を示し、記録装置の構成例を示すブロック図である。
【図８】第３の実施形態を示し、画像データの蓄積の様子を説明する図である。
【発明を実施するための形態】
【００１３】
以下に、本発明の好ましい実施形態を、添付の図面に基いて説明する。
＜第１の実施形態＞
図１は、本発明の第１の実施形態に係るネットワーク監視システムの構成の一例を示す図である。
図１に示すネットワーク監視システム１００は、ネットワークカメラなどの撮像装置１０１と、記録装置１０２と、映像表示装置１０３と、LANなどのネットワーク１０４によって構成されている。
【００１４】
撮像装置１０１は、撮像した画像データをネットワーク１０４に配信する。また、マイクや各種センサーから取得した音声データやセンサー検知情報、およびそれらデータから生成された各種検知データを配信してもよい。
【００１５】
記録装置１０２は、撮像装置１０１からネットワーク１０４を介して配信された各種データを、ハードディスクなどの記録媒体に記録する。この例では記録媒体は、記録装置１０２内のハードディスクとするが、記録装置１０２に外部接続された記録媒体でもよいし、ネットワーク１０４に別途接続されたNAS（Network Attached Storage）であってもよい。
【００１６】
映像表示装置１０３は、撮像装置１０１から配信された映像データをライブ表示する。また、記録装置１０２によって記録媒体に記録されたデータを再生表示する機能を有する装置である。映像表示装置１０３は、この例のように独立してネットワーク１０４に接続されてもよいし、記録装置１０２に再生処理を行う機能を持たせて録画再生装置としてもよい。
【００１７】
ネットワーク１０４は、撮像装置１０１と、記録装置１０２と、映像表示装置１０３とが相互に通信可能に接続される。このネットワーク１０４は、撮像装置１０１と記録装置１０２、また、記録装置１０２と映像表示装置１０３とがそれぞれ独立したネットワークを構成してもよい。また、この例ではLANとしたが、ケーブルの耐久性を考慮し、無線あるいは専用ケーブルを使用したネットワークを構築してもよい。
【００１８】
以上の撮像装置１０１と、記録装置１０２と、映像表示装置１０３と、ネットワーク１０４は、図１中ではそれぞれ一つとして示したが、それぞれが複数の構成をとってもよい。
【００１９】
次に、図１を用いてエレベーター制御の一例を説明する。
エレベーターの利用者は、各階に設置されたエレベーター呼びボタンを押下することでエレベーター籠１０５を呼ぶ。エレベーター籠１０５内での操作は、エレベーター籠１０５内に設置されたエレベーター操作部１０６により、所望の階ボタンを押下することで行なう。
【００２０】
エレベーター操作部１０６で受け付けた操作は、エレベーター制御用ネットワーク１０７を介してエレベーター管理装置１０８へ送信される。エレベーター管理装置１０８は、エレベーターの現在階情報や移動状態などを管理している装置であり、これらの情報に基き要求された操作が可能かどうかを判断する。可能であれば、エレベーター制御装置１０９に制御命令を出し、エレベーター駆動部１１０を制御する。
【００２１】
また、エレベーター管理装置１０８は、保持している現在階情報や籠の移動状態を、撮像装置１０１に通知可能としてもよい。この例では、映像配信用のネットワーク１０４とエレベーター制御用ネットワーク１０７を別にしているが、同一ネットワークを構成してもよい。
【００２２】
図２は、本実施形態の撮像装置の構成例を示すブロック図である。
本実施形態のネットワーク監視システム１００では、前述したように、撮像装置、記録装置、映像表示装置、エレベーター管理装置がネットワーク２０３によって接続されている。ネットワーク２０３は、後で述べるカメラ制御信号、圧縮した画像信号を通すのに十分な帯域があればどのようなものでもよい。なお、ここでは、ネットワークプロトコルとしてＴＣＰ／ＩＰ（ＵＤＰ／ＩＰ）プロトコルを仮定し、以下アドレスといった場合にはＩＰアドレスを指すこととする。また、撮像装置、記録装置、映像表示装置、エレベーター管理装置共にＩＰアドレスを割り当てられているものとする。
【００２３】
撮像装置２０１（図１の撮像装置１０１に相当する）は、通信制御部２０２を介して映像表示装置１０３に画像データを出力する。本実施形態においては、映像表示装置や記録装置１０２から受信したコマンド、およびエレベーター管理装置１０８から得たエレベーターの状態に応じて、ネットワーク２０３を介して画像データを配信するとともに、各種カメラ制御を実行する。画像入力部２０４は、ビデオカメラ２０５による撮影画像（動画および静止画）を取り込む。
【００２４】
画像入力部２０４に取り込まれた撮影画像は、画像圧縮部２０６によって各クライアントに配信しやすいデータサイズに圧縮される。記憶部２０７は各種設定値およびデータを保持し、あらかじめユーザーが設定した監視対象階の情報を保持する。監視対象階情報は、何階を監視対象とするか、また、エレベーター籠が移動中を監視対象とするか停止中を監視対象にするか、等である。コマンド解釈部２１１は、映像表示装置や記録装置からネットワーク２０３経由で受け取ったコマンドを解釈する。
【００２５】
状態取得部２０８および階情報取得部２０９は、通信制御部２０２を介してエレベーター管理装置１０８から現在階情報と移動状態を得る。カメラ制御部２１０は、あらかじめユーザーが設定した監視対象階の情報と、現在階情報と籠移動状態を得て、現在が監視対象状態である場合（現在の階情報が、あらかじめ設定された監視対象階情報と一致した場合）はビデオカメラ２０５による撮像を行う。また、監視対象状態でない場合は撮像を止めるように、ビデオカメラ２０５の撮像動作を制御する。
【００２６】
なお、画像圧縮部２０６は、ビデオカメラ２０５から出力されるＮＴＳＣ画像信号を取り込みＡ／Ｄ変換し、Ａ／Ｄ変換した後、ＭｏｔｉｏｎＪＥＰＧで圧縮して、通信制御部２０２に出力し、ネットワーク２０３に送出する。ここでは、画像の圧縮形式として、ＭｏｔｉｏｎＪＥＰＧ圧縮としたが、本発明は、この圧縮形式に限定されるものではない。
【００２７】
次に、図３を用いて本実施形態の監視対象状態を判断するフローチャートを示す。なお図３の例では、エレベーター籠が監視対象階に停止した時のみを監視対象状態に設定した例であり、籠が移動を開始したときに開始される。
【００２８】
まず、Ｓ３１で籠が移動中か否かを判別する。移動中であれば監視対象状態ではない。籠が停止中であれば、籠が停止している階が監視対象階なのか否かを判別する（Ｓ３２）。停止している階が監視対象階でない場合は移動開始を待つ。
【００２９】
停止している階が監視対象階である場合は、撮像を開始する（Ｓ３３）。撮像中は籠が移動を開始するまで撮像を続けるために、籠が移動を開始したか否かを判断する（Ｓ３４）。移動を開始したと判別した場合は撮像を終了し（Ｓ３５）、次に籠が停止するのを待つ（Ｓ３１）。
【００３０】
本実施形態の例では、監視対象状態で無い場合はビデオカメラ２０５による撮像を止めているが、それ以外の方法として、撮像自体は常に行ない監視対象状態で無い場合は画像入力部２０４から画像圧縮部２０６への画像送出を止める。あるいは、通信制御部２０２から外部装置への画像送信を止めるように構成してもよい。
【００３１】
前述した実施形態では、現在階情報と籠移動状態をエレベーター管理装置１０８から取得しているが、図４に示すように撮像装置４００内に、エレベーター籠の移動状態と現在の階情報を識別する画像解析部４０１を設ける。そして、画像解析部４０１による画像解析結果から現在階情報と籠移動状態を取得するようにしてもよい。この場合は、撮像装置４００の撮影画角内にエレベーター籠内の状態表示盤を含むようにする。
【００３２】
状態取得部４０２と階情報取得部４０３は、状態表示盤を映した領域の画像解析結果から現在階情報と籠移動状態を得る。カメラ制御部４０４は、これらの結果から監視対象状態なのか否かを判別し、監視対象状態で無い場合は画像入力部４０５から画像圧縮部４０６への画像送出を止める。あるいは、通信制御部４０７からネットワーク４１１を介して外部装置へ画像送信するのを止めるようにする。
【００３３】
＜第２の実施形態＞
本発明の第２の実施形態でのネットワーク監視システムの構成は第１の実施形態と同様である。第２の実施形態に関して図５を用いて説明する。図５は、本実施形態に係る撮像装置の構成例を示すブロック図である。
本実施形態の撮像装置５０１は、通信制御部５０２で映像表示装置や記録装置から受信したコマンド、およびエレベーター管理装置から得たエレベーターの状態に応じて、ネットワーク５０３を介して画像データを配信するとともに、各種カメラ制御を実行する。
【００３４】
画像入力部５０４は、ビデオカメラ５０５による撮影画像（動画および静止画）を取り込む。記憶部５０６は、各種設定値およびデータを保持し、あらかじめユーザーが設定した監視対象階の情報を保持する。状態取得部５０７および階情報取得部５０８は、通信制御部５０２を介してエレベーター管理装置から現在階情報と移動状態を得る。
【００３５】
カメラ制御部５０９は、あらかじめユーザーが設定した監視対象階の情報と、現在階情報と籠移動状態を得て、マスク処理部５１０でマスク処理を行うか否かを判別する。マスク処理部５１０は、マスク処理を行うか否かの判別によって、マスク処理を行う場合は画像入力部５０４から取得した画像の全体または一部にマスク処理を施す。一方、マスク処理部５１０でマスク処理を行わない場合はなにもしない。
【００３６】
この処理により、エレベーター籠が監視対象状態であるときのみ監視映像が視認可能となる。マスク処理部５１０で処理された画像はマスク処理の有無にかかわらず、画像圧縮部５１１によって各クライアントに配信しやすいデータサイズに圧縮され、通信制御部５０２を介して外部装置に送信される。
【００３７】
前述した第２の実施形態では、現在階情報と籠移動状態をエレベーター管理装置から取得しているが、第１の実施形態と同様に撮像装置内に画像解析部を設け、画像解析結果から現在階情報と籠移動状態を取得するようにしてもよい。
【００３８】
＜第３の実施形態＞
本発明の第３の実施形態に係るネットワーク監視システムの構成例を図６に示す。
図６に示すように、本実施形態のネットワーク監視システム６００は、撮像装置６０１と、記録装置６０２と、映像表示装置６０３と、LANなどのネットワーク６０４によって構成されている。以下、図６を用いてエレベーター制御の一例を説明する。
【００３９】
エレベーターの利用者は、各階に設置されたエレベーター呼びボタンを押下することでエレベーター籠６０５を呼ぶ。エレベーター籠６０５内での操作は、エレベーター籠６０５内に設置されたエレベーター操作部６０６により、所望の階ボタンを押下することで行なう。エレベーター操作部６０６で受け付けた操作は、エレベーター制御用ネットワーク６０７を介してエレベーター管理装置６０８へ送信される。
【００４０】
エレベーター管理装置６０８は、エレベーターの現在階情報や移動状態などを管理している装置であり、これらの情報に基づき要求された操作が可能かどうかを判断する。可能であればエレベーター制御装置６０９に制御命令を出し、エレベーター駆動部６１０を制御する。
【００４１】
また、本実施形態においては、エレベーター管理装置６０８は、保持している現在階情報や籠の移動状態を、回線６１１を介して記録装置６０２に通知可能に構成されている。この例では、映像配信用のネットワーク６０４とエレベーター制御用ネットワーク６０７を別にしているが、同一ネットワークを構成してもよい。
【００４２】
図７は、本実施形態の記録装置の構成例を示すブロック図である。
本実施形態の記録装置７０１は、通信制御部７０２がネットワーク７０３を介して撮像装置６０１と接続されており、撮像装置６０１から出力される画像データを画像蓄積部７０９に蓄積する。記憶部７０４は、各種設定値およびデータを保持し、あらかじめユーザーが設定した監視対象階の情報を保持する。
【００４３】
前述した第１及び第２の実施形態においては、撮像装置が有していた状態取得部７０５および階情報取得部７０６を、本実施形態においては記録装置７０１が有し、通信制御部７０２を介してエレベーター管理装置６０８から現在階情報と移動状態を得ている。
【００４４】
蓄積制御部７０７は、あらかじめユーザーが設定した監視対象階の情報と、現在階情報と籠移動状態とを得て、現在が監視対象状態であるか否かを判別して、画像蓄積部７０９の画像蓄積動作を制御する。一時記憶部７０８は、通信制御部７０２を介して撮像装置６０１から受信した画像データを、所定の期間一時保存して保持する。ここで、蓄積制御部７０７により、現在が監視対象状態であると判別された場合は、所定の期間さかのぼって画像蓄積部７０９に画像を蓄積する。一時記憶部７０８に一時保存された画像データは、監視対象状態でないまま所定の期間が過ぎた場合は古い画像データから順に削除される。
【００４５】
図８に、一時記憶部７０８に蓄積する画像データの様子を示す。
図８の例では、５階建てのビルの３階と４階に停止した場合を監視対象状態としている。また、図８は時間が経過ごとに状態１→２→３と推移する様子を示しており、例えば状態１では、エレベーターが１階から５階に移動した状態を示している。
【００４６】
時間が経過し、状態２では５階にあったエレベーター籠６０５が２階に移動している。この時点で、８０１に示した時間帯の一時保存データは、所定の期間が過ぎているために一時記憶部７０８から削除されている。さらに時間が経過し、状態３では２階にあったエレベーター籠６０５が監視対象階である４階に停止している。
【００４７】
この時、８０２に示すように、監視対象状態になってから所定の期間さかのぼって画像蓄積部７０９に画像蓄積を行っている。また、８０３に示した時間帯の一時保存データはこの時点より所定の期間が過ぎているために一時記憶部７０８から削除されている。
【００４８】
前述した第３の実施形態では、現在階情報と籠移動状態とをエレベーター管理装置６０８から取得しているが、記録装置７０１内に画像解析部を設け、受信した画像の画像解析結果から現在階情報と籠移動状態を取得するようにしてもよい。
【００４９】
以上、本発明の好ましい実施形態について説明したが、第３の実施形態は、第１もしくは第２の実施形態と合わせて実施してもよい。また、本発明は前述した実施形態に限定されず、その要旨の範囲内で種々の変形及び変更が可能である。
【００５０】
（その他の実施形態）
また、本発明は、以下の処理を実行することによっても実現される。即ち、前述した実施形態の機能を実現するソフトウェア（コンピュータプログラム）を、ネットワーク又は各種のコンピュータ読み取り可能な記憶媒体を介してシステム或いは装置に供給する。そして、そのシステム或いは装置のコンピュータ（またはＣＰＵやＭＰＵ等）がプログラムを読み出して実行する処理である。
【符号の説明】
【００５１】
１００  ネットワーク監視システム
１０１  撮像装置
１０２  記録装置
１０３  映像表示装置
１０４  ネットワーク
１０５  エレベーター籠
１０６  エレベーター操作部
１０７  エレベーター制御用ネットワーク
１０８  エレベーター管理装置
１０９  エレベーター制御装置
１１０  エレベーター駆動部
【図１】
2014156315.tif 000003
【図２】
2014156315.tif 000004
【図３】
2014156315.tif 000005
【図４】
2014156315.tif 000006
【図５】
2014156315.tif 000007
【図６】
2014156315.tif 000008
【図７】
2014156315.tif 000009
【図８】
2014156315.tif 000010